(57)【特許請求の範囲】
【請求項１】
トマトの茎を上方から垂れ下げた誘引紐に沿わせて誘引するトマト栽培誘引装置であって、
前記誘引紐を取り付け斜めに巻きつけて支持すると共に、前記誘引紐を巻き戻す方向に回転させることにより、前記茎の先端位置を斜め下方に移動させる回転棒と、
この回転棒を前記茎の上方において回転可能に支持する支持部材とを備え、
前記回転棒には、前記誘引紐が長手方向において取り付け位置をずらして複数取り付けられ、
前記支持部材は、
前記回転棒を載せる凹部を有する下支え部材と、
この下支え部材の上方において前記凹部の少なくとも一部を覆い、かつ、前記下支え部材との間に前記誘引紐を通過させるための開放部を有するように設けられ、前記回転棒の上方を押さえる上部押さえ部材とを有する
ことを特徴とするトマト栽培誘引装置。
【請求項２】
更に、
前記回転棒の下方に移動可能に配置され、前記回転棒に取り付けられた前記誘引紐を案内する案内部材と、
この案内部材を前記回転棒の回転に応じて前記回転棒の長手方向に移動させ、前記回転棒に対して前記誘引紐を斜めに巻きつける移動部材と
を備えたことを特徴とする請求項１記載のトマト栽培誘引装置。
【請求項３】
前記移動部材は、
前記回転棒の下方において前記回転棒の長手方向に延長して配置され、前記案内部材を移動可能に支持するガイド部材と、
前記案内部材に一端部が取り付けられ、前記案内部材を引張って移動させる紐状の引張り部材と、
前記回転棒に対して回転軸を同一として配設され、前記引張り部材の他端部が取り付けられると共に、前記回転棒と連動して回転して前記引張り部材を巻き取る巻き取り部材と
を備えたことを特徴とする請求項２記載のトマト栽培誘引装置。
【請求項４】
前記下支え部材は、前記開放部側の端部が、前記回転棒の長手方向に沿って山なり状となっている
ことを特徴とする請求項１から請求項３のいずれか１に記載のトマト栽培誘引装置。
【請求項５】
前記下支え部材は、少なくとも前記開放部側の端部がプラスチックにより構成された
ことを特徴とする請求項１から請求項４のいずれか１に記載のトマト栽培誘引装置。
【請求項６】
前記支持部材は、
前記回転棒の長手方向において間隔を開け、かつ、前記回転棒と交わる方向において間隔を開けて対応して設けられる複数の支柱と、
この複数の支柱を回転棒と交わる方向において連結して固定する棒状の交差方向固定部材とを備え、
前記下支え部材は、前記交差方向固定部材または前記支柱に対して配設される
ことを特徴とする請求項１から請求項５のいずれか１に記載のトマト栽培誘引装置。
【請求項７】
前記回転棒には、トマトの重さにより、前記誘引紐が巻き戻される方向に前記回転棒が自動的に回転することを防止する巻き戻し防止手段が取り付けられた
ことを特徴とする請求項１から請求項６のいずれか１に記載のトマト栽培誘引装置。
【請求項８】
前記回転棒が並列に複数配置され、
前記複数の回転棒を同時に回転させる回転手段を備えた
ことを特徴とする請求項１から請求項７のいずれか１に記載のトマト栽培誘引装置。
【発明の詳細な説明】
【技術分野】
【０００１】
本発明は、トマトの栽培において茎を誘引するトマト栽培誘引装置およびトマトの茎を誘引して栽培する方法に関する。
【背景技術】
【０００２】
トマト栽培において、５ヶ月から６ヶ月の長期間にわたり収穫を行う場合には、茎の長さが４ｍから５ｍにも達する。そこで、茎を上方から垂れ下げた誘引紐に沿わせて成長させると共に、誘引紐を上方において束ねておき、茎の成長に合わせて誘引紐を解くと共に、誘引紐の位置を横にずらして、茎の先端位置を斜め下方に移動させる栽培方法が広く行われている。しかし、この方法では、トマトの茎の１本１本について誘引紐を解いて横に移動させる作業を行わなければならず、栽培本数が増えるほどその作業にかかる手間が大きくなるという問題があった。また、手で誘引紐を解いて横に移動させる作業を行うと、作業の途中で茎が上下左右に必要以上に動いてしまい、トマトにストレスがかかり生育に悪影響を与えるという問題もあった。
【０００３】
そこで、近年では、茎を沿わせた紐を機械的に操作し、茎の先端位置を斜め下方に移動させる方法が提案されている。例えば、特許文献１には、茎の上方に誘引紐を取り付けた固定桁を設けると共に、固定桁の長手方向に沿って移動可能に可動桁を設け、可動桁に取り付けたガイドローラーを経由して誘引紐を下方に垂れ下げる栽培装置が記載されている。この栽培装置によれば、最初に可動桁を誘引紐の取り付け位置とは反対の方向に移動させておき、茎の成長に応じて、可動桁を誘引紐の取り付け位置に向かって移動させることにより、茎の先端位置を容易に斜め下方に移動させることができる。
【特許文献１】特開２００１−２３１３７３号公報
【発明の開示】
【発明が解決しようとする課題】
【０００４】
しかしながら、特許文献１に記載された栽培装置では、茎ごとにガイドローラーを取り付けなければならないので、部品点数が多いという問題があった。また、トマトが成長してくると誘引紐にかかる重さが重くなるので、可動桁を滑らかに移動させるにはそれなりの機構が必要であるという問題があった。よって、より簡単でかつ安価な装置および方法の開発が望まれていた。
【０００５】
本発明は、このような問題に基づきなされたものであり、容易に茎を誘引することができる簡単かつ安価なトマト栽培誘引装置およびトマトの栽培方法を提供することを目的とする。
【課題を解決するための手段】
【０００６】
本発明のトマト栽培誘引装置は、トマトの茎を上方から垂れ下げた誘引紐に沿わせて誘引するものであって、誘引紐を取り付け斜めに巻きつけて支持すると共に、誘引紐を巻き戻す方向に回転させることにより、茎の先端位置を斜め下方に移動させる回転棒と、この回転棒を茎の上方において回転可能に支持する支持部材とを備え、回転棒には、誘引紐が長手方向において取り付け位置をずらして複数取り付けられ、支持部材は、回転棒を載せる凹部を有する下支え部材と、この下支え部材の上方において凹部の少なくとも一部を覆い、かつ、下支え部材との間に誘引紐を通過させるための開放部を有するように設けられ、回転棒の上方を押さえる上部押さえ部材とを有するものである。
【発明の効果】
【０００８】
本発明のトマト栽培誘引装置によれば、回転棒に誘引紐を斜めに巻きつけて支持するようにしたので、誘引紐を巻き戻す方向に回転棒を回転させることにより、容易に茎の先端位置を斜め下方に移動させることができる。よって、労力を削減できると共に、誘引紐を必要以上に動かさないので、トマトにかかるストレスが小さくなり、トマトを良好に栽培することができる。また、トマトが成長して誘引紐にかかる重さが重くなっても、誘引紐を巻き戻す方向に回転させるので、非常に小さな力で動かすことができる。更に、回転棒に誘引紐を斜めに巻きつけた簡単な構成なので、装置を簡素化することができると共に、費用も安価とすることができる。
【０００９】
特に、誘引紐を回転棒の長手方向において取り付け位置をずらして複数取り付けるようにすれば、一度に複数の茎を誘引することができ、労力を大幅に削減することができる。
【００１０】
また、回転棒の上方を押さえる上部押さえ部材を設けるようにすれば、回転棒を回転させる際に回転棒が下支え部材から外れてしまうことを防止することができる。
【００１１】
更に、誘引紐を案内する案内部材と、この案内部材を回転棒の回転に応じて回転棒の長手方向に移動させ、回転棒に対して誘引紐を巻きつける移動部材とを備えるようにすれば、回転棒に誘引紐を簡単に巻きつけることができる。
【００１２】
加えて、移動部材が、案内部材を移動可能に支持するガイド部材と、案内部材を引張って移動させる紐状の引張り部材と、回転棒に対して回転軸を同一として配設され、回転棒と連動して回転して引張り部材を巻き取る巻き取り部材とを備えるようにすれば、回転棒に誘引紐をより簡単に巻きつけることができる。
【００１３】
更にまた、下支え部材の開放部側の端部を回転棒の長手方向に沿って山なり状とするようにすれば、または、下支え部材の少なくとも開放部側の端部をプラスチックにより構成するようにすれば、誘引紐の損傷や切断を防ぐことができる。
【００１４】
加えてまた、複数の支柱と、この複数の支柱を回転棒と交わる方向において連結して固定する棒状の交差方向固定部材とを備え、下支え部材を交差方向固定部材または支柱に対して配設するようにすれば、安定して回転棒を支えることができる。特に、下支え部材を交差方向固定部材に配設するようにすれば、支柱との間の距離を自由に調節することができ、回転棒を容易に支柱から十分離れた位置に支持することができる。よって、茎を移動させる際に茎と支柱との接触を少なくすることができ、誘引作業における労力を軽減することができると共に、トマトにかかるストレスを小さくすることができる。
【００１５】
更にまた、トマトの重さにより、誘引紐が巻き戻される方向に回転棒が自動的に回転することを防止する巻き戻し防止手段を備えるようにすれば、茎の先端位置を容易に調節することができる。
【００１６】
加えてまた、回転棒を並列に複数配置し、複数の回転棒を同時に回転させる回転手段を備えるようにすれば、複数の回転棒を同時に操作することができ、労力をより軽減することができる。
【００１７】
また、本発明のトマトの栽培方法によれば、茎の上方に、誘引紐を取り付けて斜めに巻きつけた回転棒を配置し、回転棒から誘引紐を垂れ下げて茎を沿わせると共に、茎の成長に合わせて誘引紐を巻き戻す方向に回転棒を回転させるようにしたので、容易に茎の先端位置を斜め下方に移動させることができる。よって、労力を削減できると共に、誘引紐を必要以上に動かさないので、トマトにかかるストレスが小さくなり、トマトを良好に栽培することができる。また、トマトが成長して誘引紐にかかる重さが重くなっても、誘引紐を巻き戻す方向に回転させるので、非常に小さな力で簡単に動かすことができる。更に、装置も簡単で費用も安価とすることができる。
【００１８】
特に、回転棒に長手方向において取り付け位置をずらして取り付けた複数の誘引紐を用い、各誘引紐に茎をそれぞれ沿わせるようにすれば、回転棒を回転させることにより複数の茎を同時に誘引することができ、労力を大幅に削減することができる。
【発明を実施するための最良の形態】
【００１９】
以下、本発明の実施の形態について、図面を参照して詳細に説明する。
【００２０】
図１は、本発明の一実施の形態に係るトマト栽培誘引装置の構成を表すものであり、図２は、図１に示したＡから見たトマト栽培誘引装置の構成を表すものである。このトマト栽培誘引装置は、トマトを栽培する畝に沿って配設して用いるものであり、トマトの茎Ｍの上方から垂れ下げて茎Ｍを沿わせて誘引する誘引紐１０と、誘引紐１０を斜めに巻きつけて支持する回転棒２０と、回転棒２０を茎Ｍの上方において回転可能に支持する支持部材３０とを備えている。誘引紐１０は、例えば、畝に沿って植えられた複数のトマトの茎Ｍに個別に対応するように、畝に沿って配設された回転棒２０の長手方向に対して、取り付け位置をずらして複数取り付けられる。
【００２１】
図３は、図１に示した誘引紐１０の１つを取り出して表すものである。誘引紐１０の一端部１１は、回転棒２０に対して、例えば結びつけることにより、または、テープなどで貼り付けることにより固定される。誘引紐１０の一端部１１から他端部１２に向かっては、回転棒２０に沿って斜めに巻かれ、他端部１２は下方に垂れ下げられて、例えばトマトの茎Ｍに結びつけることにより、または、クリップなどで留めることにより固定される。誘引紐１０は、例えば、麻紐により構成されることが好ましい。回転棒２０に取り付けて巻きつけた時に摩擦により滑りにくく、かつ、価格も安く入手しやすいからである。回転棒２０から垂れ下げられた誘引紐１０の長さは、例えば図４に示したように、誘引紐１０を巻き戻す方向に回転棒２０を回転させることにより長くなり、これにより、茎Ｍの成長に合わせて、茎Ｍの先端位置を斜め下方に移動させることができるようになっている。誘引紐１０の長さは、トマトの茎Ｍを成長させるのに十分な長さに設定される。なお、回転棒２０において各誘引紐１０の斜めに巻かれている領域は、互いに重なり合ってもよい。
【００２２】
回転棒２０は、例えば、ステンレス製のパイプにより構成されている。また、回転棒２０は、例えば図２に示したように、並列に形成された複数の畝に沿って並列に複数配設される。回転棒２０の端部には、例えば、誘引紐１０が巻き戻される方向に回転棒２０が自動的に回転することを防止するための巻き戻し防止手段２１が取付けられている。巻き戻し防止手段２１としては、例えば、ウォーム歯車が好ましい。ウォーム歯車を用いれば、トマトが成長して重くなっても、トマトの重さにより誘引紐１０が巻き戻されることを簡単に防止することができ、茎Ｍの先端位置を容易に調節することができるからである。ウォーム歯車には、例えば、回転棒２０を回転させるためのハンドル２２が配設されている。
【００２３】
なお、巻き戻し防止手段２１としては、図示しないが、例えば、回転棒１２に固定紐の一端部を取り付け、誘引紐１０が巻き戻される方向とは逆の方向に巻き付けて、固定紐の他端部を支持部材３０などに固定するようにしてもよい。この場合、回転棒２０を回転するためのハンドル２２は回転棒２０に対して直接配設される。
【００２４】
また、図２では、各回転棒２０を回転させるためのハンドル２２を個別に配設する場合を示したが、複数の回転棒２０について、それらを同時に回転させる回転手段を設けるようにしてもよい。図５にその一構成例を示す。この回転手段は、１つの回転棒２０に回転軸を同一としてウォーム歯車２３および第１の平歯車２４を取り付け、第１の平歯車２４に第２の平歯車２５を噛み合わせて配設し、更に、第２の平歯車２５と回転軸を同一として連動して回転するように第１のチェーン歯車２６を配設し、第１のチェーン歯車２６とチェーン２７を介して連動して回転するように他の回転棒２０に回転軸を同一として第２のチェーン歯車２８を配設したものである。このように構成すれば、複数の回転棒２０を同時に操作することができるので好ましい。また、ウォーム歯車２３を用いれば、巻き戻し防止手段２１としての機能も兼ね備えることができ、複数の回転棒２０について巻き戻し防止手段２１を共用することができるので好ましい。
【００２５】
支持部材３０は、例えば図１，２に示したように、回転棒２０を茎Ｍの上方において支えるための複数の支柱３１を有している。各支柱３１は、回転棒２０の長手後方に間隔を開けてほぼ垂直に立てられている。各支柱３１には、例えば、回転棒２０の長手後方において複数の支柱３１を連結して互いに固定する棒状の長手後方固定部材３２Ａが取り付けられていることが好ましい。安定して回転棒２０を支えることができるからである。また、各支柱３１は、例えば、回転棒２０と交わる方向においても、並列に形成された複数の畝に沿って、間隔を開けて対応するように立てられていることが好ましい。各支柱３１の上方には、例えば、回転棒２０と交わる方向において複数の支柱３１を連結して互いに固定する棒状の交差方向固定部材３２Ｂが取り付けられていることが好ましい。より安定して回転棒２０を支えることができるからである。
【００２６】
支持部材３０は、また、例えば、回転棒２０を載せる下支え部材３３と、下支え部材３３の上方に設けられ、下支え部材３３との間に誘引紐１０を通過させるための開放部３４Ａを有する上部押さえ部材３４とを有していることが好ましい。
【００２７】
図６は、図１に示した支持部材３０の一部を拡大して表すものである。この下支え部材３３は、例えば支柱３１に対して配設される。下支え部材３３の上部には、回転棒２０を載せて支えるための凹部３３Ａが形成されている。下支え部材３３の開放部側の端部３３Ｂは、回転棒２０の長手方向に沿って山なり状となっていることが好ましく、また、下支え部材３３の少なくとも開放部側の端部３３Ｂは、プラスチックにより構成されていることが好ましい。誘引紐１０を巻き戻す際に、誘引紐１０が損傷したり切断されることを防止することができるからである。
【００２８】
下支え部材３３の凹部３３Ａは支柱３１から１０ｃｍ以上離れた位置に設けられていることが好ましく、１５ｃｍ以上、更には２０ｃｍ以上離れた位置に設けるようにすればより好ましい。茎Ｍを移動させる際に、茎Ｍと支柱３１との接触を少なくすることができ、誘引作業における労力を軽減することができると共に、トマトにかかるストレスを小さくすることができるからである。
【００２９】
上部押さえ部材３４は、回転棒２０の上方を押さえるためのものであり、下支え部材３３の上方において凹部３３Ａの少なくとも一部を覆うように配設されている。このように上部押さえ部材３４を設けるようにすれば、回転棒２０を回転させる際に回転棒２０が下支え部材３３から外れてしまうことを防止することができるので好ましい。上部押さえ部材３４は、例えば、下支え部材３３に対して配設され、ねじ３４Ｂなどにより着脱可能とされていることが好ましい。回転棒２０を容易に配設することができるからである。また、上部押さえ部材３４は、例えば図６に示したように、回転棒２０に沿って上方に突出した湾曲状とされていてもよいが、直線状であってもよい。
【００３０】
図７は、下支え部材３３および上部押さえ部材３４の他の構成例を表すものである。この下支え部材３３は、例えば、交差方向固定部材３２Ｂに対して配設されるように構成されたことを除き、他は図６に示した下支え部材３３と同様の構成を有している。このように構成すれば、下支え部材３３と支柱３１との間の距離を自由に調節することができ、回転棒２０を容易に支柱３１から十分に離れた位置に支持することができるので好ましい。また、上部押さえ部材３４は、例えば、下支え部材３３に対して配設され、配設位置を中心として回転移動可能とされたことを除き、他は図６に示した上部押さえ部材３４と同様の構成を有している。このように構成すれば、回転棒２０を容易かつ簡単に配設することができるので好ましい。
【００３１】
このトマト栽培誘引装置は、また、回転棒２０に誘引紐１０を斜めに巻きつけるための巻き付け部材４０を備えていることが好ましい。図８は、巻き付け部材４０の構成を表すものである。巻き付け部材４０は、例えば、回転棒２０に取り付けた誘引紐１０を案内する案内部材４１と、案内部材４１を回転棒２０の回転に応じて回転棒２０の長手方向に移動させ、回転棒２０に対して誘引紐１０を斜めに巻きつける移動部材４２とを備えている。
【００３２】
案内部材４１は、例えば、回転棒２０の下方に移動可能に配置され、更に、着脱可能とされていることが好ましい。回転棒２０に誘引紐１０を巻きつけた後は不要であり、取り外すことができれば、トマトの栽培管理時に誘引紐１０が引っ掛るなどの支障が発生することを回避できると共に、複数の回転棒２０に誘引紐１０を巻きつける場合に、１つの案内部材４１で対応することができるからである。案内部材４１は、例えば、棒状部材４１Ａに、複数の誘引紐１０を個別に案内する複数の個別案内部４１Ｂが間隔を開けて設けられた構造を有している。個別案内部４１Ａは、例えば、誘引紐１０を引っ掛けて案内するように構成され、Ｌ字状、Ｕ字状、Ｖ字状、あるいはリング状などどのような形状でもよい。各個別案内部４１Ｂの間隔は、トマトの苗を植える間隔に対応して設定される。
【００３３】
移動部材４２は、案内部材４１を移動可能に支持するガイド部材４２Ａと、案内部材４１を引張って移動させる紐状の引張り部材４２Ｂとを有している。ガイド部材４２Ａは、例えば、回転棒２０の下方において回転棒２０の長手方向に延長して設けられる。ガイド部材４２Ａは着脱可能とされることが好ましく、例えば、支持部材３０に取り付け部材４２Ｃを着脱可能に配設し、この取り付け部材４２Ｃに対して着脱可能に取り付けるようにすることが好ましい。案内部材４１と同様に、回転棒２０に誘引紐１０を巻きつけた後は不要であり、取り外すことができれば、トマトの栽培管理時に誘引紐１０が引っ掛るなどの支障が発生することを回避できると共に、複数の回転棒２０に誘引紐１０を巻きつける場合に部品を共用することができるからである。
【００３４】
引張り部材４２Ｂは、一端部が案内部材４１に取り付けられ、他端部は、回転棒２０に配設された巻き取り部材４２Ｄに取り付けられる。巻き取り部材４２Ｄは、回転棒２０と回転軸を同一とし、回転棒２０と連動して回転するように設けられている。これにより、例えば図９に示したように、回転棒２０を回転させると巻き取り部材４２Ｄが回転して引張り部材４２Ｂを巻き取り、案内部材４１を移動させて、回転棒２０に誘引紐１０を簡単に巻きつけることができるようになっている。なお、巻き取り部材４２Ｄの直径は、誘引紐１０を巻きつける間隔を粗としたい場合には大きく、密にしたい場合には小さく設定される。引張り部材４２Ｂおよび巻き取り部材４２Ｄは、案内部材４１、ガイド部材４２Ａおよび取り付け部材４２Ｃと同様に、着脱可能とされていることが好ましい。
【００３５】
このような構成を有するトマト栽培誘引装置を用い、次のようにしてトマトを栽培する。このトマトの栽培方法では、まず、例えば図８に示したように、トマトを栽培する畝に沿って支持部材３０および回転棒２０を配設し、トマトの苗を植える間隔に対応して、回転棒２０に長手方向において間隔を開けて複数の誘引紐１０を取り付ける。次いで、支持部材３０にガイド部材４２Ａおよび案内部材４１を配設し、案内部材４１の個別案内部４１Ｂに誘引紐１０を個別に引っ掛ける。続いて、例えば図９に示したように、回転棒２０を回転させると共に、巻き取り部材４２Ｄを連動して回転させ、引張り部材４２Ｂを巻き取って、案内部材４１をガイド部材４２Ａに沿って移動させる。これにより、回転棒２０に対して誘引紐１０が斜めに巻きつけられる。その際、誘引紐１０の他端部は地面につかないように必要に応じて束ねておき、錘を付けることが好ましい。誘引紐１０をより容易に巻きつけることができるからである。
【００３６】
回転棒２０に誘引紐１０を巻きつけた後、例えば図３に示したように、回転棒２０から誘引紐１０の他端部を垂れ下げて、誘引紐１０の他端部を回転棒２０の下方に植えたトマトの茎Ｍに個別に取り付ける。次いで、トマトの茎Ｍを誘引紐１０に巻きつけることにより、または、クリップなどで留めることにより沿わせる。なお、巻き付け部材４０は、必要に応じて取り外してもよい。続いて、例えば図４に示したように、茎Ｍの成長に応じて、適宜、茎Ｍを誘引紐１０に巻きつけることにより、または、クリップなどで留めることにより沿わせると共に、誘引紐１０を巻き戻す方向に回転棒２０を回転させ、茎Ｍの先端位置を斜め下方に移動させる。これにより、複数の茎Ｍが同時に横方向に誘引される。
【００３７】
このように、本実施の形態によれば、回転棒２０に誘引紐１０を斜めに巻きつけて支持し、誘引紐１０を巻き戻す方向に回転棒２０を回転させるようにしたので、容易に茎Ｍの先端位置を斜め下方に移動させることができる。よって、労力を削減できると共に、誘引紐１０を必要以上に動かさないので、トマトにかかるストレスが小さくなり、トマトを良好に栽培することができる。また、トマトが成長して誘引紐１０にかかる重さが重くなっても、誘引紐１０を巻き戻す方向に回転させるので、非常に小さな力で動かすことができる。更に、回転棒２０に誘引紐１０を斜めに巻きつけた簡単な構成なので、装置を簡素化することができると共に、費用も安価とすることができる。
【００３８】
特に、複数のトマトの茎Ｍに対応するように、複数の誘引紐１０を回転棒２０の長手方向において取り付け位置をずらして取り付けるようにすれば、一度に複数の茎Ｍを誘引することができ、労力を大幅に削減することができる。
【００３９】
また、下支え部材３３の上方に、回転棒２０の上方を押さえる上部押さえ部材３４を設けるようにすれば、回転棒２０を回転させる際に回転棒２０が下支え部材３３から外れてしまうことを防止することができる。
【００４０】
更に、誘引紐１０を案内する案内部材４１と、この案内部材４１を回転棒２０の回転に応じて回転棒２０の長手方向に移動させ、回転棒２０に対して誘引紐１０を巻きつける移動部材４２とを備えるようにすれば、回転棒２０に誘引紐１０を簡単に巻きつけることができる。また、案内部材４１または移動部材４２を着脱可能とするようにすれば、回転棒２０に誘引紐１０を巻きつける時に取り付け、巻きつけた後は取り外すことができる。よって、トマトの栽培管理時に誘引紐１０が引っ掛るなどの支障が発生することを回避できると共に、複数の回転棒２０に誘引紐１０を巻きつける場合に部品を共用することができる。
【００４１】
加えて、移動部材４２が、案内部材４１を移動可能に支持するガイド部材４２Ａと、案内部材４１を引張って移動させる紐状の引張り部材４２Ｂと、回転棒２０に対して回転軸を同一として配設され、回転棒２０と連動して回転して引張り部材４２Ｂを巻き取る巻き取り部材４２Ｄとを備えるようにすれば、回転棒２０に誘引紐１０をより簡単に巻きつけることができる。
【００４２】
更にまた、下支え部材３３の開放部側の端部３３Ｂを回転棒２０の長手方向に向かって山なり状とするようにすれば、または、下支え部材３３の少なくとも開放部側の端部３３Ｂをプラスチックにより構成するようにすれば、誘引紐の損傷や切断を防ぐことができる。
【００４３】
加えてまた、複数の支柱３１と、この複数の支柱３１を回転棒２０と交わる方向において連結して固定する棒状の交差方向固定部材３２Ｂとを備え、下支え部材３３を交差方向固定部材３２Ｂまたは支柱３１に対して配設するようにすれば、安定して回転棒２０を支えることができる。特に、下支え部材３３を交差方向固定部材３２Ｂに配設するようにすれば、支柱３１との間の距離を自由に調節することができ、回転棒２０を容易に支柱３１から十分離れた位置に支持することができる。よって、茎Ｍを移動させる際に茎Ｍと支柱３１との接触を少なくすることができ、誘引作業における労力を軽減することができると共に、トマトにかかるストレスを小さくすることができる。
【００４４】
更にまた、トマトの重さにより、誘引紐１０が巻き戻される方向に回転棒２０が自動的に回転することを防止する巻き戻し防止手段を備えるようにすれば、茎Ｍの先端位置を容易に調節することができる。
【００４５】
加えてまた、回転棒２０を並列に複数配置し、複数の回転棒２０を同時に回転させる回転手段を備えるようにすれば、複数の回転棒２０を同時に操作することができ、労力をより軽減することができる。
【００４６】
以上、実施の形態を挙げて本発明を説明したが、本発明は上記実施の形態に限定されるものではなく、種々変形可能である。例えば、上記実施の形態では、下支え部材３３に上部押さえ部材３４を設けるようにしたが、上部押さえ部材３４は設けられていなくてもよい。また、上記実施の形態では、上部押さえ部材３４を着脱可能とする場合について説明したが、着脱可能とされていなくてもよい。例えば、上部押さえ部材３４を左右または上方に動かすことにより位置を移動させることができるようにしてもよい。また、上部押さえ部材３４を固定し、下支え部材３３と上部押さえ部材３４との間に横から回転棒２０を挿入するようにしてもよい。
【００４７】
更に、上記実施の形態では、上部押さえ部材３４を下支え部材３３に対して配設する場合について説明したが、下支え部材３３との間に誘引紐１０を通過させるための開放部３４Ａを有し、下支え部材３３の上方において凹部３３Ａの少なくとも一部を覆うように配設されていれば、下支え部材３３に対して配設されていなくてもよい。例えば、支柱３１または交差方向固定部材３２Ｂに配設するようにしてもよく、また、交差方向固定部材３２Ｂを直接上部押さえ部材３４として利用してもよい。
【００４８】
更にまた、上記実施の形態では、回転棒２０に誘引紐１０を斜めに巻きつけるための巻き付け部材４０を備える場合について説明したが、巻き付け部材を用いることなく、手で巻きつけるようにしてもよい。また、巻き付け部材４０は他の構成を有するようにしてもよい。例えば、引張り部材４２Ｂを巻き取り部材４２Ｄで巻き取るのではなく、手で引張るようにしてもよく、また、回転棒２０と連動させることなく、他の部材により巻き取るようにしてもよい。更に、巻き付け部材４０を着脱可能としたが、着脱可能とされていなくてもよい。
【産業上の利用可能性】
【００４９】
トマトの栽培において用いることができる。
【図面の簡単な説明】
【００５０】
【図１】本発明の一実施の形態に係るトマト栽培誘引装置の構成を表す図である。
【図２】図１に示したＡから見たトマト栽培誘引装置の構成を表す図である。
【図３】図１に示したトマト栽培誘引装置のうち誘引紐の１つを取り出して表す図である。
【図４】図１に示したトマト栽培誘引装置のうち誘引紐の１つを取り出して表す他の図である。
【図５】図１に示したトマト栽培誘引装置の回転手段を表す構成図である。
【図６】図１に示したトマト栽培誘引装置のうち支持部材の一部を拡大して表す斜視図である。
【図７】他の支持部材の一部を拡大して表す斜視図である。
【図８】図１に示したトマト栽培誘引装置の巻き付け部材を表す正面図である。
【図９】図１に示したトマト栽培誘引装置の巻き付け部材を表す他の正面図である。
【符号の説明】
【００５１】
１０…誘引紐、２０…回転棒、２１…巻き戻し防止手段、２２…ハンドル、２３…ウォーム歯車、２４…第１の平歯車、２５…第２の平歯車、２６…第１のチェーン歯車、２７…チェーン、２８…第２のチェーン歯車、３０…支持部材、３１…支柱、３２Ａ…長手後方固定部材、３２Ｂ…交差方向固定部材、３３…下支え部材、３３Ａ…凹部、３４…上部押さえ部材、３４Ａ…開放部、４０…巻き付け部材、４１…案内部材、４１Ａ…棒状部材、４１Ｂ…個別案内部、４２…移動部材、４２Ａ…ガイド部材、４２Ｂ…引張り部材、４２Ｃ…取り付け部材、４２Ｄ…巻き取り部材、Ｍ…茎
【図１】
0004361957.tif 000002
【図２】
0004361957.tif 000003
【図３】
0004361957.tif 000004
【図４】
0004361957.tif 000005
【図５】
0004361957.tif 000006
【図６】
0004361957.tif 000007
【図７】
0004361957.tif 000008
【図８】
0004361957.tif 000009
【図９】
0004361957.tif 000010